(57)【要約】【課題】支柱の両側にのぼり旗を取り付けることができ、のぼり旗の旋回する空間を有効に利用して二枚ののぼり旗で宣伝することで、宣伝の媒体として効率の向上を図ることができるのぼり旗の支持装置を提供する。【解決手段】支柱１の上端部と中間部の位置に、支柱１の相反する両側に向けて突出する旋回アーム２をそれぞれ回転自在となるよう取り付け、この旋回アーム２に回転バー３を装着し、上下回転バー３間にのぼり旗４を取り付けることにより、支柱１の両側に位置するのぼり旗４は旋回と回転が可能になっている。【選択図】  図１
2004184750.tif 000002
【特許請求の範囲】
【請求項１】
支柱の上端部と中間部の位置に、支柱の相反する両側に向けて突出する旋回アームをそれぞれ回転自在となるよう取り付け、支柱の両側で上下に対応する旋回アーム間にそれぞれのぼり旗を取り付けるようにしたのぼり旗の支持装置。
【請求項２】
上記支柱の相反する両側に向けて突出する旋回アームが、支柱の上下方向に両側で段差を生じるように配置されている請求項１に記載ののぼり旗の支持装置。
【請求項３】
上記旋回アームに回転バーを装着し、上下回転バー間にのぼり旗を取り付けることにより、旋回アームに対してのぼり旗が回転可能となるようにした請求項１又は２に記載ののぼり旗の支持装置。
【発明の詳細な説明】
【０００１】
【発明の属する技術分野】
この発明は、宣伝等のためののぼり旗を道路や店頭等に配置するために用いる支持装置に関する。
【０００２】
【従来の技術】
宣伝文句や店名等を記載したのぼり旗を道路や店頭等に配置して宣伝媒体とする方法は、付近を通過する人の目に付きやすいので宣伝等の効果に優れている。
【０００３】
一般的なのぼり旗の支持装置は、支柱の上端に支持アームを固定し、のぼり旗の上縁と一方側縁を支持アームと支柱に取り付けた構造になっている。
【０００４】
このような支持装置は、のぼり旗が風でたなびくことにより、注意を引くことになるが、単に垂れ下がり状となるのぼり旗が風でたなびく程度では、のぼり旗の動きに変化が乏しく、また、風の方向によってはのぼり旗が畳まれたような形態になり、期待するほど人目を引く効果が得られない。
【０００５】
そこで、支柱の上端に設けた支持アームを回転可能とし、風を受けたのぼり旗が旋回することで、畳まれたような形態にならないようにしたのぼり旗の支持装置が、例えば、特開２００２−２７８４８９号によって提案されている。
【０００６】
こののぼり旗の支持装置は、支柱の上端に片側に突出する支持アームを回転可能に装着し、支持アームと支柱に対してのぼり旗の上縁と一方の側縁をフック部材で取り付け、のぼり旗が風を受けると、支持アームと共にのぼり旗が回転して風の方向に沿うようになっている。
【０００７】
【発明が解決しようとする課題】
ところで、上記のような従来の回転式のぼり旗の支持装置は、支柱の片側にのぼり旗が位置する構造になっているため、設置にあたって、当然ながら周囲にのぼり旗の旋回する空間を確保しなければならないが、この空間に対して一枚ののぼり旗での表示となるので、確保する空間の有効利用に欠け、宣伝の媒体として効率が悪いという問題がある。
【０００８】
そこで、この発明の課題は、支柱の両側にのぼり旗を取り付けることができるようにし、のぼり旗の旋回する空間を有効に利用して二枚ののぼり旗で宣伝することができ、宣伝の媒体として効率の向上を図ることができるのぼり旗の支持装置を提供することにある。
【０００９】
【課題を解決するための手段】
上記のような課題を解決するため、この発明は、支柱の上端部と中間部の位置に、支柱の相反する両側に向けて突出する旋回アームをそれぞれ回転自在となるよう取り付け、支柱の両側で上下に対応する旋回アーム間にそれぞれのぼり旗を取り付けるようにした構成を採用したものである。
【００１０】
上記支柱の上端部に対する旋回アームの取り付けは、支柱の上端部に装着した取り付け部材の支柱内への挿入部が支柱に対して回転可能となるようにし、この挿入部の支柱から突出する上端部に旋回アームを水平に挿通し、ねじによる締め付け手段を用いて旋回アームを固定するようになっている。
【００１１】
また、支柱の途中に対する旋回アームの取り付けは、支柱の途中に外嵌する環状の回転部材を、支柱に弾力的に外嵌した断面Ｃ型の支持部材で回転可能に支持し、回転部材の両側に相反する方向に突出するよう旋回アームを取り付けた構造になっている。
【００１２】
上記支柱の相反する両側に向けて突出する旋回アームが、支柱の上下方向に両側で段差を生じるように配置されているようにしたり、旋回アームに回転バーを装着し、上下回転バー間にのぼり旗を取り付けることにより、旋回アームに対してのぼり旗が回転可能となるようにすることができる。
【００１３】
上記旋回アームに対する回転バーの取り付けに用いる旋回用取り付け部材は、旋回アームの途中に対する取り付け部の一面側に、回転バーの取り付け部材を回転可能に設けた構造になっている。
【００１４】
【発明の実施の形態】
以下、この発明の実施の形態を図示例と共に説明する。
【００１５】
図１と図２は、のぼり旗の支持装置における第１の実施の形態を示し、所定の長さを有する支柱１の上端部と中間部の位置に、支柱１の相反する両側に向けて突出する旋回アーム２を回転自在となるよう取り付け、支柱１の両側で上下に対応する旋回アーム２に回転バー３を装着し、上下回転バー３間にのぼり旗４を取り付け、二枚の両側のぼり旗４が、支柱１を中心に旋回すると共に、各のぼり旗４が自転するようにした構造になっている。
【００１６】
上記支柱１は、樹脂被覆鋼管や合成樹脂管を用い、下部大径管１ａと上部小径管１ｂを嵌め合わせ、下部大径管１ａの上端に周知の構造を有するチャック部材５を取り付け、このチャック部材５を操作することにより、のぼり旗４の上下寸法に合わせて長さの調整が行えるようになっている。
【００１７】
上記支柱１の上端部に対する旋回アーム２の取り付けは、図２のように、合成樹脂製の取り付け部材６を用いて行われている。
【００１８】
この取り付け部材６は、支柱１に対する筒状挿入部７の上端に円形鍔部８と螺筒９を連成し、円形鍔部８と螺筒９の下端部に軸状の旋回アーム２を挿通する横孔１０を設けて形成され、上記筒状挿入部７に回転可能で軸方向に一体となるよう外嵌した断面Ｃ字型の支持部材１１を、支柱１の内部に弾力的に圧入することで、取り付け部材６が支柱１に対して回転自在に取り付けられる。
【００１９】
上記螺筒９に外嵌螺合したキャップ１２を締め付けると、横孔１０に挿入した旋回アーム２を円形鍔部８とで挟み込んで固定し、旋回アーム２を支柱１の両側に突出した状態にする。
【００２０】
また、支柱１の途中に対する旋回アーム２の取り付けは、図２のように、支柱１の途中に外嵌する環状の樹脂製回転部材１３を、支柱１に弾力的に外嵌した断面Ｃ型の樹脂製支持部材１４で回転可能に支持し、回転部材１３の両側に設けた取り付け孔１５に両側で別の旋回アーム２を差し込んで固定することにより、旋回アーム２を相反する方向に突出するよう取り付るようになっている。
【００２１】
上記各旋回アーム２に対する回転バー３の取り付けは、図２のように、回転用取り付け部材１６が用いられている。この回転用取り付け部材１６は、旋回アーム２の途中に対して外嵌する筒状取り付け部１７をビス１８の締め付けで旋回アーム２の途中に外嵌固定し、筒状取り付け部１７の一面側に、軸状の回転バー３を貫通状に取り付ける取り付け部材１９を回転可能に結合した構造になっている。
【００２２】
図３と図４は、のぼり旗の支持装置における第２の実施の形態を示している。なお、上述した第１の実施の形態と同一部分には同一符号を用いて説明する。
【００２３】
第２の実施の形態の支持装置は、支柱１の相反する両側に向けて突出する旋回アーム２を、支柱１の上下方向に両側で段差を生じるように配置し、支柱１を挟んで両側に位置させるのぼり旗４を上下に変位させて変化を持たせたものである。
【００２４】
上記支柱１の上端部に対する旋回アーム２の取り付けは、図４のように、支柱１の上端部に装着した取り付け部材２０が用いられる。
【００２５】
この取り付け部材２０は、合成樹脂を用い、支柱１の上端部に回転可能に外嵌する上下に長い上端閉鎖の円筒体２１の外面で上下の位置に、旋回アーム２の端部を挿入固定する差し込み部２２を、円筒体２１の軸心を挟んで相反する方向に突出するように設けた構造になっている。
【００２６】
また、支柱１の途中に対する旋回アーム２の取り付けに用いる回転部材２３は、合成樹脂を用い、上下に長い円筒体２４の外面で上下の位置に、旋回アーム２の端部を挿入固定する差し込み部２５を、円筒体２１の軸心を挟んで相反する方向に突出するように設けて形成され、支柱１へ弾力的に外嵌した断面Ｃ型の樹脂製支持部材１４で下端が支持されて回転可能になっている。
【００２７】
なお、上下に対向する旋回アーム２間へののぼり旗４の取り付けは、第１の実施の形態と同様、旋回アーム２に回転自在に取り付けた回転バー３間にのぼり旗４を張設するようになっているが、第１及び第２の実施の形態において、回転バーの使用を省き、上下旋回アーム２に直接のぼり旗４を張設し、二枚ののぼり旗４が支柱１を中心に旋回だけするようにしてもよい。
【００２８】
この発明の支持装置は、上記のような構成であり、支柱１の上端部に取り付け部材６又は２０を用いて旋回アーム２を両側に突出するよう回転可能に取り付け、支柱１の途中にも旋回アーム２を回転部材１３又は２３で回転可能に取り付け、上下の旋回アーム２それぞれ回転用取り付け部材１６を用いて回転バー３を上下に対向するよう取り付けて支持装置を組み立て、上下の回転バー３間にのぼり旗４を位置させ、のぼり旗４の上端に設けたちぎり２６を上部回転バー３に、また、のぼり旗４の下端に設けたちぎり２６を下部回転バー３に取り付けることにより、支柱１を挟む両側において上下に長いのぼり旗４を装着する。
【００２９】
なお、支柱１は、のぼり旗４の上下長さに応じてチャック部材５の操作で下部大径管１ａと上部小径管１ｂの伸縮長さを調整し、のぼり旗４が弛まないような状態に張設する。
【００３０】
のぼり旗４を装着した支持装置は、支柱１の下端を固定構造物に固定するか、図示のように、別途用意した適宜支持ベース２７に下端を差し込んで起立させることにより配置する。
【００３１】
上記のような支持装置は、支柱１の両側にのぼり旗４が位置することにより、宣伝媒体としての面積が従来の二倍になると共に、上下の旋回アーム２は支柱１を中心に回転自在になっているので、のぼり旗４には風の流れ方向に沿うような旋回動が生じ、この旋回は、一枚ののぼり旗４の旋回空間ですむことになり、支柱１を挟む両側に二枚ののぼり旗４を配置することは空間の有効利用をはかることができる。
【００３２】
更に、のぼり旗４は、旋回アーム２に対して回転可能に取り付けた上下の回転バー３に取り付けられているので、風を受けたのぼり旗４は、上下方向の軸心を中心に自転することになり、従って、のぼり旗４は、支柱１を中心とする旋回と、自身の上下軸心を中心とする自転の複合した動きをすることになり、のぼり旗４の動きが複雑化することで人の注意と目を引き、宣伝効果を飛躍的に向上させることができる。
【００３３】
また、第２の実施の形態においては、両側ののぼり旗４が上下に変位しているので、見る人の目に変化を与え、宣伝効果を向上させることができる。
【００３４】
【発明の効果】
以上のように、この発明によると、支柱の両側にのぼり旗を取り付けることができるようにしたので、従来の一枚ののぼり旗の旋回する空間を有効に利用して二枚ののぼり旗で宣伝することができ、宣伝の媒体として効率の向上を図ることができる。
【００３５】
また、支柱の両側のぼり旗に、支柱を中心とする旋回と、のぼり旗自身の回転が生じるようにしたので、風を受けたのぼり旗が、旋回と自転の複合した動きをすることにより、のぼり旗の動きが複雑化することで人の注意と目を引き、宣伝効果を飛躍的に向上させることができる。
【００３６】
更に、支柱の両側にのぼり旗を上下に変位させるようにすると、のぼり旗の配置に変化が生じることになり、宣伝効果が一段と向上する。
【図面の簡単な説明】
【図１】第１の実施の形態の支持装置を示す使用状態の正面図
【図２】同上の要部を拡大した縦断面図
【図３】第２の実施の形態の支持装置を示す使用状態の正面図
【図４】同上の要部を拡大した縦断面図
【符号の説明】
１  支柱
２  旋回アーム
３  回転バー
４  のぼり旗
５  チャック部材
６  取り付け部材
７  筒状挿入部
８  円形鍔部
９  螺筒
１０  横孔
１１  支持部材
１２  キャップ
１３  回転部材
１４  支持部材
１５  取り付け孔
１６  取り付け部材
１７  筒状取り付け部
１８  ビス
１９  取り付け部材
２０  取り付け部材
２１  円筒体
２２  差し込み部
２３  回転部材
２４  円筒体
２５  差し込み部
２６  ちぎり
２７  支持ベース
【図１】
2004184750.tif 000003
【図２】
2004184750.tif 000004
【図３】
2004184750.tif 000005
【図４】
2004184750.tif 000006